(57)【要約】【課題】スキャンプレビューモードに設定された状態で原稿の読取がスタートされた状況において、ユーザによる確認入力が行われない場合であっても、指定された処理を実行することが可能な画像処理装置を提供する。【解決手段】本発明に係る画像処理装置としてのＭＦＰ１は、スキャンプレビューモードが設定されている場合に、画像データの確認入力を受け付ける操作ボタン１６と、スキャンプレビューモードに設定されている場合、画像データに対してＯＫを示す確認入力が受け付けられたことを条件として、指定された処理を実行するネットワーク通信部２０と、画像データが表示されてから所定時間以内に確認入力が受け付けられなかった場合に、スキャンプレビューモードを解除するＣＰＵ２３とを備える。ネットワーク通信部２０は、スキャンプレビューモードが解除された場合、画像データの処理を実行する。【選択図】図２
2012109817.tif 000002
【特許請求の範囲】
【請求項１】
原稿を読み取って生成した画像データを表示するスキャンプレビューモードの設定が可能な画像処理装置において、
前記スキャンプレビューモードが設定されている場合に、表示された画像データがＯＫか否かを示す確認入力をユーザから受け付ける受付手段と、
前記スキャンプレビューモードに設定されている場合、前記画像データに対してＯＫを示す前記確認入力が受け付けられたことを条件として、前記画像データに対して指定された処理を実行する処理手段と、
前記画像データが表示されてから所定時間以内に前記受付手段によって前記確認入力が受け付けられなかった場合に、前記スキャンプレビューモードを解除する制御手段と、
を備え、
前記処理手段は、前記制御手段によってスキャンプレビューモードが解除された場合、前記画像データに対して前記処理を実行することを特徴とする画像処理装置。
【請求項２】
前記スキャンプレビューモードに設定されている場合、原稿１ページ分の画像データに対してＯＫを示す前記確認入力が受け付けられる毎に、次のページの原稿を読取可能な位置に搬送する自動原稿搬送手段を備え、
前記自動原稿搬送手段は、前記制御手段によってスキャンプレビューモードが解除された後は、原稿を１ページずつ連続して読取可能な位置に搬送することを特徴とする請求項１に記載の画像処理装置。
【請求項３】
前記制御手段は、前記スキャンプレビューモードを解除して前記処理が実行された後、次の処理対象となる原稿の画像データが生成される際には、前記スキャンプレビューモードに再び設定することを特徴とする請求項１又は２に記載の画像処理装置。
【発明の詳細な説明】
【技術分野】
【０００１】
本発明は、原稿を読み取って画像データを生成する画像処理装置に関する。
【背景技術】
【０００２】
従来から、原稿を光学的に読み取ることにより画像データを生成するスキャナ機能を有する画像処理装置が広く知られている。この画像処理装置には、生成した画像データに対して、ユーザが指定した処理を行うものがある。例えば、ユーザが画像データに対する処理として電子メールの送信を指定した場合に、原稿を読み取って画像データを生成した後、生成した画像データを電子メールに添付して送信する画像処理装置がある。また、下記特許文献１には、原稿を読み取って画像データを生成した後、自装置に接続されているＰＣ（パーソナルコンピュータ）等へ画像データを送信する画像処理装置が記載されている。
【先行技術文献】
【特許文献】
【０００３】
【特許文献１】特開２００７−１０４５３５号公報
【発明の概要】
【発明が解決しようとする課題】
【０００４】
ところで、生成した画像データに対して処理を行う画像処理装置には、スキャンプレビュー機能を有するものがある。このスキャンプレビュー機能は、画像データを生成した後、処理を行う前に、処理対象となる画像データをユーザが確認できるようにディスプレイに表示し、ユーザが確認した旨の入力をした後に送信等の処理を行う機能である。このスキャンプレビュー機能がオンの状態、すなわち、スキャンプレビューモードに設定されている場合、複数ページの原稿をセットしたユーザは、１ページ分の原稿が読み取られる毎に表示される画像データを確認することができる。
【０００５】
スキャンプレビューモードに設定されている場合、全てのページについてユーザによる確認入力が行われた状況では、送信等の処理が実行される。しかしながら、確認入力を行うためには、ユーザは、原稿の全ページについて読取が終了するまで画像処理装置から離れることができない。また、ユーザが、スキャンプレビューモードに設定されていることを知らずに、複数ページの原稿を自動原稿搬送装置（ＡＤＦ）にセットし、スタートボタンを押して画像処理装置から離れた場合、画像データが表示された状態で、画像処理装置の動作が停止する。すなわち、スキャンプレビューモードに設定されている場合、画像処理装置の動作が停止した状態となり、送信等の指定された処理は実行されない。
【０００６】
そこで本発明は、上記問題点を解消するためになされたものであり、スキャンプレビューモードに設定された状態で原稿の読取がスタートされた状況において、ユーザによる確認入力が行われない場合であっても、指定された処理を実行することが可能な画像処理装置を提供することを目的とする。
【課題を解決するための手段】
【０００７】
本発明に係る画像処理装置は、原稿を読み取って生成した画像データを表示するスキャンプレビューモードの設定が可能な画像処理装置において、スキャンプレビューモードが設定されている場合に、表示された画像データがＯＫか否かを示す確認入力をユーザから受け付ける受付手段と、スキャンプレビューモードに設定されている場合、画像データに対してＯＫを示す確認入力が受け付けられたことを条件として、画像データに対して指定された処理を実行する処理手段と、画像データが表示されてから所定時間以内に受付手段によって確認入力が受け付けられなかった場合に、スキャンプレビューモードを解除する制御手段とを備え、処理手段は、制御手段によってスキャンプレビューモードが解除された場合、画像データに対する処理を実行することを特徴とする。
【０００８】
本発明に係る画像処理装置では、スキャンプレビューモードに設定されている場合、原稿を読み取って生成された画像データが表示される。そして、表示された画像データがＯＫを示す確認入力がユーザから受け付けられた場合に、画像データに対して指定された処理が実行される。一方、画像データが表示されてから所定時間以内にユーザから確認入力が受け付けられなかった場合に、スキャンプレビューモードが解除され、画像データに対して指定された処理が実行される。これにより、ユーザが所定時間以内に確認入力を行わない場合は、スキャンプレビューモードが解除され、動作が停止することなく、指定された処理が実行される。従って、スキャンプレビューモードに設定された状態で原稿の読取がスタートされた状況において、ユーザによる確認入力が行われない場合であっても、指定された処理を実行することが可能となる。
【０００９】
本発明に係る画像処理装置では、スキャンプレビューモードに設定されている場合、原稿１ページ分の画像データに対してＯＫを示す確認入力が受け付けられる毎に、次のページの原稿を読取可能な位置に搬送する自動原稿搬送手段を備え、自動原稿搬送手段は、制御手段によってスキャンプレビューモードが解除された後は、原稿を１ページずつ連続して読取可能な位置に搬送することが好ましい。
【００１０】
この構成によれば、スキャンプレビューモードに設定されている場合、原稿１ページ分の画像データに対してＯＫの確認入力が受け付けられる毎に、次のページの原稿が読取可能な位置に搬送される。このため、１ページ毎に画像データの確認を行うことができる。一方、画像データが表示されてから所定時間以内に確認入力が受け付けられなかった場合、スキャンプレビューモードが解除され、複数ページの原稿が連続して読取可能な位置に搬送される。すなわち、スキャンプレビューモードが解除された後は、ユーザが確認入力を行わなくても、複数ページの原稿が連続して読み取られ、その後、処理が実行される。従って、スキャンプレビューモードに設定された状態で、複数ページの原稿が自動原稿搬送装置にセットされて読取がスタートされた状況において、ユーザによる確認入力が行われない場合であっても、指定された処理を実行することが可能となる。
【００１１】
本発明に係る画像処理装置では、制御手段は、スキャンプレビューモードを解除して処理が実行された後、次の処理対象となる原稿の画像データが生成される際には、スキャンプレビューモードに再び設定することが好ましい。
【００１２】
この構成によれば、前回の処理時にスキャンプレビューモードが解除された場合、次の処理対象となる原稿の画像データが生成される際には、再びスキャンプレビューモードに設定される。従って、前回の処理時にユーザが確認入力を行わなかった為にスキャンプレビューモードが解除された場合であっても、次に使用する際には、自動的にスキャンプレビューモードに設定することができる。
【発明の効果】
【００１３】
本発明の画像処理装置によれば、スキャンプレビューモードに設定された状態で原稿の読取がスタートされた状況において、ユーザによる確認入力が行われない場合であっても、指定された処理を実行することが可能となる。
【図面の簡単な説明】
【００１４】
【図１】実施形態に係る画像処理装置の一例であるＭＦＰの外観を示す斜視図である。
【図２】ＭＦＰの機能的な構成を示すブロック図である。
【図３】ＭＦＰによる読取処理及び送信処理の処理手順を示すフロー図である。
【発明を実施するための形態】
【００１５】
以下、図面を参照して本発明の好適な実施形態について詳細に説明する。まず、図１及び図２を参照して、実施形態に係る画像処理装置の一例であるＭＦＰ（Ｍｕｌｔｉｆｕｎｃｔｉｏｎ  Ｐｅｒｉｐｈｅｒａｌ）１の構成について説明する。図１は、ＭＦＰ１の外観を示す斜視図である。図２は、ＭＦＰ１の機能的な構成を示すブロック図である。
【００１６】
ＭＦＰ１は、プリント機能、スキャン機能、コピー機能、ＦＡＸ（ファクシミリ）機能、ＩＦＡＸ（インターネットＦＡＸ）機能、及びネットワーク機能を備えた複合機である。このＭＦＰ１は、ＦＡＸ機能、ＩＦＡＸ機能、又はネットワーク機能等により、他の装置又は自機内のフォルダへ、スキャン機能によって生成した画像データを送信する。また、ＭＦＰ１は、画像データの送信処理を行う前に、ユーザが画像データを確認できるように表示するスキャンプレビュー機能も有している。
【００１７】
図１に示されるように、ＭＦＰ１は、スキャン機能を発揮するスキャナ部１０と、このスキャナ部１０の下側に配置されたプリンタ部１１とを備えている。プリンタ部１１は、電子写真方式の画像記録装置を有し、用紙に画像データを記録する。スキャナ部１０は、ＣＣＤ有し、原稿を光学的に読み取って画像データを生成する。
【００１８】
スキャナ部１０の上側には、原稿トレイ１２及び原稿排紙トレイ１３が設けられている。この原稿トレイ１２にセットされた原稿を原稿の読取が行われる読取位置へ搬送するために、ＭＦＰ１はＡＤＦ（自動原稿搬送装置）１４を備えている。ＡＤＦ１４は、特許請求の範囲に記載の自動原稿搬送手段として機能する。ＡＤＦ１４は、原稿トレイ１２から読取位置を経由して原稿排紙トレイ１３へ原稿を１ページずつ搬送する。スキャナ部１０は、ＡＤＦ１４によって読取位置に搬送された原稿を読み取って画像データを生成する。スキャナ部１０によって生成された画像データは、ＦＡＸ機能、ＩＦＡＸ機能、又はネットワーク機能により送信処理される。
【００１９】
ＭＦＰ１は、ディスプレイ１５及び操作ボタン１６を有する操作パネル１７を備えている。ディスプレイ１５としては、例えば、液晶ディスプレイ等を用いることができる。このディスプレイ１５は、スキャンプレビューモードに設定されている場合、スキャナ部１０によって生成された画像データを表示する。
【００２０】
操作ボタン１６は、ユーザから各種の操作を受け付ける。例えば、ユーザは、生成された画像データをＦＡＸ機能により送信するか、ＩＦＡＸ機能により送信するか、又は、ネットワーク機能によりネットワーク上の指定のフォルダに送信して保存するかについて、操作ボタン１６を利用して入力することができる。また、ユーザは、スキャンプレビューモードのオン・オフの設定を操作ボタン１６により切り替えることができる。
【００２１】
また、操作ボタン１６は、ディスプレイ１５に表示された画像データがＯＫか否かの確認入力をユーザから受け付ける。すなわち、操作ボタン１６は、特許請求の範囲に記載の受付手段として機能する。１ページ分の原稿が読み取られ、１ページ分の画像データが表示された状態で、ユーザは、表示された画像データが送信して良い画像データであると確認した場合に、ＯＫの確認入力を行う。ＯＫの確認入力が操作ボタン１６によって受け付けられた場合、ＡＤＦ１４が、次ページの原稿を読取可能な位置まで搬送し、スキャナ部１０が、次のページの原稿を読み取って画像データを生成する。
【００２２】
一方、表示された画像データが薄い等の理由で、表示されたページの読取処理を再度行う場合、ユーザは、ＮＧの確認入力を行う。この確認入力が操作ボタン１６によって受け付けられた場合、ユーザが読取設定を変更する等して、操作ボタン１６に含まれるスタートボタンが押下された後、スキャナ部１０が原稿の読取を再実行する。
【００２３】
図２に示されるように、ＭＦＰ１は、画像データの画像処理及び各種の送受信処理を行うために、ＳＤＲＡＭ１８、統合チップセット１９、ネットワーク通信部２０、モデム２１、及び、ＮＣＵ（Ｎｅｔｗｏｒｋ  Ｃｏｎｔｒｏｌ  Ｕｎｉｔ）２２を備えている。
【００２４】
ＳＤＲＡＭ１８は、画像メモリとして機能し、スキャナ部１０によって生成された画像データを含む各種の画像データを記憶する。統合チップセット１９は、スキャナ部１０、プリンタ部１１、及びＳＤＲＡＭ１２と接続され、システムバス９１を介してＣＰＵ２３とデータの入出力が可能に構成されている。この統合チップセット１９は、複数のチップを含んで構成され、ＳＤＲＡＭ１２のメモリコントローラとしての機能、及び、画像データに対する画像処理機能を発揮する。
【００２５】
ネットワーク通信部２０は、ＰＨＹ回路、ネットワーク処理を行うためのＮＷ−サブＣＰＵ及びＮＷ−ＣＰＵ等を含んで構成されている。これらの構成要素により、ネットワーク通信部２０は、ＬＡＮ（Ｌｏｃａｌ  Ａｒｅａ  Ｎｅｔｗｏｒｋ）９２を介して接続された外部装置との間でデータの送受信を行うためのネットワークインターフェースとして機能する。
【００２６】
また、ネットワーク通信部２０は、ローカルバス９３を介して統合チップセット１３とデータの入出力が可能に構成されている。このネットワーク通信部２０の機能により、ＭＦＰ１はＩＦＡＸ機能を発揮する。具体的には、ネットワーク通信部２０は、ＬＡＮ９２を介して送信された電子メールを受信し、受信した電子メールに添付された画像データを統合チップセット１３へ出力する。また、画像データをＩＦＡＸ機能により送信する旨の指示入力がユーザから受け付けられた場合、ネットワーク通信部２０は、スキャナ部１０によって生成された画像データを電子メールに添付し、ＬＡＮ９２を介して送信する。すなわち、ネットワーク通信部２０は、スキャナ部１０によって生成された画像データに対して送信処理を行うので、特許請求の範囲に記載の処理手段として機能する。
【００２７】
また、ネットワーク通信部２０は、画像データをＬＡＮ９２上の指定されたフォルダへ送信し保存する旨の指示入力がユーザから受け付けられた場合、スキャナ部１０によって生成された画像データを指定されたフォルダへ送信する。指定されたフォルダがＭＦＰ１内のフォルダである場合、ネットワーク通信部２０は、画像データを自機のストレージに保存する。指定されたフォルダがＬＡＮ９２上に属する自機以外の装置内のフォルダである場合、ネットワーク通信部２０は、該当する装置内のフォルダに保存されるように、ＬＡＮ９２を介して画像データを送信する。すなわち、ネットワーク通信部２０は、スキャナ部１０によって生成された画像データに対して送信処理を行うので、特許請求の範囲に記載の処理手段として機能する。
【００２８】
モデム２１は、ＦＡＸ信号の変調及び復調を行う。ＮＣＵ２２は、モデム２１とＰＳＴＮ（Ｐｕｂｌｉｃ  Ｓｗｉｔｃｈｅｄ  Ｔｅｌｅｐｈｏｎｅ  Ｎｅｔｗｏｒｋ）９４との接続を制御する。このモデム２１及びＮＣＵ２２によってＦＡＸの送受信が行われる。モデム２１及びＮＣＵ２２は、画像データをＦＡＸ機能により送信する旨の指示入力が受け付けられた場合、スキャナ部１０によって生成された画像データをＦＡＸ機能により送信する。すなわち、モデム２１及びＮＣＵ２２は、スキャナ部１０によって生成された画像データに対して送信処理を行うので、特許請求の範囲に記載の処理手段として機能する。
【００２９】
更に、図２に示されるように、ＭＦＰ１は、統合的な制御を行うために、ＣＰＵ２３、ＲＴＣ（Ｒｅａｌ  Ｔｉｍｅ  Ｃｌｏｃｋ）２４、ＳＤＲＡＭ２５、フラッシュＲＯＭ２６、及びＳＲＡＭ２７を備えている。これらのＣＰＵ２３、ＲＴＣ２４、ＳＤＲＡＭ２５、フラッシュＲＯＭ２６、及びＳＲＡＭ２７は、システムバス９１を介してデータの入出力が可能に構成されている。ＣＰＵ２３は、ロードされたプログラムを読み込んで、各構成要素を統合的に制御する。ＣＰＵ２３が実行するプログラムは、フラッシュＲＯＭ２６に記憶されている。また、ＣＰＵ２３が処理を行うために必要な各種の設定データ、及びエラー情報等は、ＳＲＡＭ２７に記憶されている。
【００３０】
スキャンプレビューモードの設定は、ＳＲＡＭ２７に記憶されている。ＣＰＵ２３は、スキャナ部１０に原稿の読取処理を実行させる前に、ＳＲＡＭ２７からＳＤＲＡＭ２５にロードされたスキャンプレビューモードの設定を読み込む。スキャンプレビューモードが（オンに）設定されていない場合、ＣＰＵ２３は、セットされた全ページの原稿をスキャナ部１０に読み取らせた後、生成された画像データを指定された機能により送信させる。
【００３１】
一方、スキャンプレビューモードが（オンに）設定されている場合、ＣＰＵ２３は以下の処理を行う。ＣＰＵ２３は、ディスプレイ１５に表示された画像データについてＯＫの確認入力が受け付けられた場合に、画像データの送信処理を実行させる。すなわち、上述したネットワーク通信部２０、モデム２１及びＮＣＵ２２は、ディスプレイ１５に表示された画像データに対してＯＫの確認入力が受け付けられたことを条件として、送信処理を実行する。
【００３２】
読取対象となる原稿が複数ページある場合、ＣＰＵ２３は、１ページ分の画像データが生成されるたびに、ディスプレイ１５に表示させる。そして、ディスプレイ１５に表示された画像データについてＯＫの確認入力が受け付けられた場合、ＣＰＵ２３は、次のページの原稿をＡＤＦ１４に読取位置まで搬送させ、搬送された１ページ分の原稿をスキャナ部１０に読み取らせる。すなわち、ＡＤＦ１４は、スキャンプレビューモードに設定されている場合、原稿１ページ分の画像データに対してＯＫの確認入力が受け付けられる毎に、次のページの原稿を読取可能な位置に搬送する。
【００３３】
なお、ディスプレイ１５に表示された画像データに対してＮＧの確認入力が受け付けられた場合、ＣＰＵ２３は、ユーザが読取設定を変更する等して、操作ボタン１６に含まれるスタートボタンが押下された後、スキャナ部１０に原稿の読取を再実行させる。
【００３４】
また、ＣＰＵ２３は、スキャンプレビューモードが設定された状態で、画像データがディスプレイ１５に表示されてから所定時間以内に確認入力が受け付けられなかった場合、スキャンプレビューモードを解除する。すなわち、ＣＰＵ２３は、特許請求の範囲に記載の制御手段として機能する。
【００３５】
所定時間は、例えば１分程度に設定され、ＣＰＵ２３は、スキャナ部１０に画像データが表示された時にカウントアップを開始し、１分経過するまでに、ユーザから確認入力が受け付けられなかった場合、スキャンプレビューモードを解除する。ＣＰＵ２３は、ＳＤＲＡＭ２５にロードされたスキャンプレビューモードの設定をオンからオフに書き換えることにより、実行中の処理に対するスキャンプレビューモードを解除する。
【００３６】
その後、ＣＰＵ２３は、次ページ以降の原稿があれば次ページ以降の原稿の搬送及び読取をＡＤＦ１４及びスキャナ部１０に実行させ、全ての原稿の読取処理が完了した後、画像データの送信処理を実行させる。すなわち、スキャンプレビューモードが解除された後は、ＡＤＦ１４が原稿を１ページずつ連続して読取可能な位置に搬送する。そして、スキャナ部１０が、搬送される複数ページの原稿を連続して読み取り、画像データを生成する。最後に、ネットワーク通信部２０、又は、モデム２１及びＮＣＵ２２が、画像データの送信処理を実行する。
【００３７】
また、スキャンプレビューモードを解除して送信処理が行われた後、次の送信処理対象となる原稿の画像データが生成される際には、再び、ＳＲＡＭ２７からＳＤＲＡＭ２５にスキャンプレビューモードの設定がロードされる。本実施形態では、スキャンプレビューモードの初期設定としてオンの設定がＳＲＡＭ２７に記憶されているので、原稿の読取が開始される際には、スキャンプレビューモードがオンの設定が、ＳＲＡＭ２７からＳＤＲＡＭ２５にロードされる。そして、ＣＰＵ２３は、ＳＤＲＡＭ２５に記憶されたスキャンプレビューモードがオンの設定を再び読み込む。従って、スキャンプレビューモードを解除して送信処理が行われた後、次の送信処理対象となる原稿の画像データが生成される際には、スキャンプレビューモードが再びオンに設定された状態となる。
【００３８】
次に、図３を参照して、ＭＦＰ１の動作を説明する。図３は、ＭＦＰ１による読取処理及び送信処理の処理手順を示すフロー図である。本処理は、原稿がユーザによってＭＦＰ１にセットされ、ＦＡＸによる送信処理、ＩＦＡＸによる送信処理、又は、指定フォルダへの送信処理のうちいずれかの送信処理が、ユーザに指定された場合に実行される処理である。
【００３９】
ステップＳ１０１では、読取要求を受け付けたか否かが判断される。すなわち、ユーザによって操作ボタン１６に含まれるスタートボタンが押下されたか否かが判断される。ユーザがスタートボタンを押下するまでステップＳ１０１が実行され、スタートボタンが押下された場合、ステップＳ１０２へ処理が移行する。ステップＳ１０２では、ＳＲＡＭ２７に記憶されたスキャンプレビューモードの設定がＳＤＲＡＭ２５に記憶される。
【００４０】
そして、ステップＳ１０３では、ＡＤＦ１４によって搬送された１ページ分の原稿が読み取られ、画像データが生成される。続いて、ステップＳ１０４では、ＳＤＲＡＭ２５に記憶されたスキャンプレビューモードの設定が、ＣＰＵ２３によって読み込まれる。ＣＰＵ２３によって読み込まれたスキャンプレビューモードの設定がオフの場合、ステップＳ１１０へ処理が移行する。スキャンプレビューモードの設定がオンの場合、ステップＳ１０５へ処理が移行する。
【００４１】
ステップＳ１０５では、ステップＳ１０３の読取処理により生成された画像データが、表示される。ステップＳ１０６では、表示された画像データの確認入力が、受け付けられたか否かが判断される。確認入力が受け付けられた場合、ステップＳ１０７へ処理が移行する。ステップＳ１０７では、受け付けられた確認入力が、ＯＫの確認入力であるか否かが判断される。ＯＫの確認入力である場合、ステップＳ１１０へ処理が移行する。ＮＧの確認入力である場合、ユーザから読取設定の変更等を受け付けた上で、ステップＳ１０３へ戻って読取処理が再度行われる。
【００４２】
一方、ステップＳ１０６で、表示された画像データに対して確認入力が受け付けられていない場合、ステップＳ１０８へ処理が移行する。ステップＳ１０８では、画像データが表示されてから所定時間が経過したか否かが判断される。所定時間が経過していない場合は、ステップＳ１０６へ戻って所定時間が経過するまで、確認入力が受け付けられたか否かの判断を繰り返す。所定時間が経過している場合は、ステップＳ１０９へ処理が移行する。ステップＳ１０９では、スキャンプレビューモードが解除される。すなわち、ＳＤＲＡＭ２５に記憶されたスキャンプレビューモードの設定がオンからオフに書き換えられ、ステップＳ１１０へ処理が移行する。
【００４３】
ステップＳ１１０では、次ページの原稿があるか否かが判断される。次ページの原稿がある場合には、ステップＳ１０３へ戻って、次ページの読取処理が行われる。次ページの原稿がない場合には、ステップＳ１１１へ処理が移行する。ステップＳ１１１では、全ページの画像データについて送信処理が実行される。以上により、ユーザの入力状況に応じて、生成された画像データの送信処理が実行される。
【００４４】
以上説明した本実施形態に係るＭＦＰ１によれば、スキャンプレビューモードに設定されている場合、原稿１ページ分の画像データに対してＯＫの確認入力が受け付けられる毎に、次のページの原稿が読取可能な位置に搬送される。このため、１ページ毎に画像データの確認を行うことができる。一方、画像データが表示されてから所定時間以内に確認入力が受け付けられなかった場合、スキャンプレビューモードが解除され、複数ページの原稿が連続して読取可能な位置に搬送される。これにより、ユーザが所定時間以内に確認入力を行わない場合は、スキャンプレビューモードが解除され、ＭＦＰ１の動作が停止することなく、指定された処理が実行される。すなわち、ＭＦＰ１によれば、ユーザによる確認入力が行われた場合と行われない場合とにそれぞれ応じて、指定された処理を実行することができる。従って、スキャンプレビューモードに設定された状態で原稿の読取がスタートされた状況において、ユーザによる確認入力が行われない場合であっても、指定された処理を実行することが可能となる。
【００４５】
これにより、スキャンプレビューモードに設定された状態で原稿の読取がスタートされた状況において、ユーザがＭＦＰ１から離れた場合であっても、処理を実行することが可能となる。また、ＭＦＰ１が画像データを表示した状態で長時間停止することを防止するので、他のユーザが装置を利用することが可能となる。
【００４６】
さらに、ＭＦＰ１では、前回の処理時にスキャンプレビューモードが解除された場合、次の処理対象となる原稿の画像データが生成される際には、再びスキャンプレビューモードに設定される。従って、前回の処理時にユーザが確認入力を行わなかった為にスキャンプレビューモードが解除された場合であっても、次に使用する際には、自動的にスキャンプレビューモードに設定することができる。
【００４７】
以上、本発明の実施の形態について説明したが、本発明は上記実施形態に限定されるものではなく種々の変形が可能である。例えば、上記実施形態では、ＭＦＰ１が表示手段としてのディスプレイ１５と受付手段としての操作ボタン１６とを備えることとしたが、表示手段と受付手段との機能を兼ね備えたタッチパネルを備えることとしてもよい。
【符号の説明】
【００４８】
１  ＭＦＰ
１０  スキャナ部
１４  ＡＤＦ
１５  ディスプレイ
１６  操作ボタン
２０  ネットワーク通信部
２１  モデム
２２  ＮＣＵ
２３  ＣＰＵ
２４  ＲＴＣ
２５  ＳＤＲＡＭ
【図１】
2012109817.tif 000003
【図２】
2012109817.tif 000004
【図３】
2012109817.tif 000005